(57)【要約】【課題】直ちに使用できる付箋を備えた付箋付き本を提供する。【解決手段】本発明の付箋付き本１の第１実施形態は、書籍、雑誌の所定ページ１１の小口１１ｍまたは天部分に付箋４，５として使用できる形状に折り返しできるような切り込み線２を設けたことを特徴とし、第２実施形態は、書籍、雑誌の所定ページに折り返し部分を残して切り込み線に沿って切り取り可能な帯状付箋形状を設け、切り取りした帯状付箋の先端部分を目的ページ間に差し込みできるようにしたことを特徴とし、第３実施形態は、書籍、雑誌の所定ページに付箋形状に切り取り可能な切り込み線と、当該付箋形状の先端部分または先端に近い部分を三分割して切断する切り込み線と、を設け、付箋形状を所定ページから切り取りした後に、当該三分割部分で目的ページを挟むことができるようにしたことを特徴とする。【選択図】    図１
2005001351.tif 000002
【特許請求の範囲】
【請求項１】
書籍、雑誌の所定ページの小口部分、天部分または地部分に付箋として折り返すことができるような形状の切り込み線を設けたことを特徴とする付箋付き本。
【請求項２】
当該形状の切り込み線が同一所定ページに複数設けられていることを特徴とする請求項１記載の付箋付き本。
【請求項３】
当該形状の切り込み線がつめ見出しの印刷形状に合致または略合致する形状にされていることを特徴とする請求項１または請求項２記載の付箋付き本。
【請求項４】
書籍、雑誌の所定ページに折り返し部分を残して切り込み線に沿って切り取り可能な帯状付箋形状を設け、切り取りした帯状付箋の先端部分を目的ページ間に差し込みできるようにしたことを特徴とする付箋付き本。
【請求項５】
帯状付箋形状が書籍、雑誌の小口、天、または地方向に向かって折り返しできるように切り込み線が入れられていることを特徴とする請求項４記載の付箋付き本。
【請求項６】
帯状付箋形状が同一所定ページに複数設けられていることを特徴とする請求項４または請求項５記載の付箋付き本。
【請求項７】
書籍、雑誌の所定ページに付箋形状に切り取り可能な切り込み線と、当該付箋形状の先端部分または先端に近い部分を三分割して切断する切り込み線と、を設け、当該付箋形状を所定ページから切り取りした後に、当該三分割部分で目的ページを挟むことができるようにしたことを特徴とする付箋付き本。
【請求項８】
付箋形状が同一の所定ページに複数設けられていることを特徴とする請求項７記載の付箋付き本。
【請求項９】
所定ページを同一本中に複数ぺージ有することを特徴とする請求項１、請求項４、請求項７のいずれか１の請求項に記載の付箋付き本。
【発明の詳細な説明】
【０００１】
【発明の属する技術分野】
この発明は付箋付き本に関する。すなわち、読書中の本の目的ページまたは所定箇所に付箋を付けたい場合に、既製品の付箋を探したり購入したりしなくても、付箋が当該本に付されているため、直ちにその付箋を使用することができるようにされている書籍や雑誌等の本に関する。
したがって、本発明の利用分野は書籍や雑誌の製造、加工、販売、あるいは出版の分野である。
【０００２】
【従来技術】
カタログや情報誌、中古車雑誌、学習参考書などを見ている際に、読者はもう一度チェックしたいページに印を付ける習慣がある。その方法は、ドッグイヤーと呼ばれるようにページの角を犬の耳状に折り曲げるものや、既製品のポストイット（商標）などを添付する方法である。
しかし、ドッグイヤーはあまり目立たない問題がある。また、本を傷め、見苦しくするので従来から嫌われている。また、ポストイットなどの付箋は手元に常備している読者は少なく急には間に合わないことが多い。
【０００３】
そこで、書籍や雑誌等の本自体に付箋を設けることが考えられ、先行技術を調査すると特許文献１や特許文献２が検出される。
特許文献１は、広告頁または返信はがき等の用途に使用される特定頁用紙の表面に、予め裏面の一端に粘着剤を塗布した複数枚の付箋貼り紙が平面状に並列して貼り付けられており、頁の綴じ工程で当該付箋貼り紙を貼り付けた特定頁用紙を他の頁とともに綴じ込めるようにした書籍雑誌の付箋綴じ込み頁、を要件としている。
また、特許文献２は、本の一部に、これを付箋として切り取るためのミシン目を設け、このミシン目を介して本に切り取り可能に形成した付箋本体からなる本用付箋を要件としている。
【０００４】
【特許文献１】登録実用新案公報第３０４９３５１号
【特許文献２】特開平９−３００８５４号公報
【０００５】
【発明が解決しようとする課題】
しかし、上記特許文献１の付箋綴じ込み頁は粘着剤を塗布した複数枚の付箋貼り紙を広告頁等に設けるので、付箋自体は粘着剤を塗布した通常の付箋と変わりがないものであって複雑な構成であるため、通常の印刷や製本の工程では製造できない問題がある。
また、特許文献２の本用付箋は綴じ込み部や中身のページに切り取り可能なミシン目線を設け、切り取り線から切り離して付箋として使用するものであるが、単に直線状の切り取り線を設けたものに過ぎないので、体裁の良い付箋として使用できない問題がある。
そこで、本願発明者は、通常の印刷や製本の製造ライン、製造工程で製造できる付箋付き本の形態を研究して本発明の完成に至ったものである。
【０００６】
【課題を解決するための手段】
上記課題を解決するための本発明の要旨の第１は、書籍、雑誌の所定ページの小口部分、天部分または地部分に付箋として折り返すことができるような形状の切り込み線を設けたことを特徴とする付箋付き本、にある。
【０００７】
本発明の要旨の第２は、書籍、雑誌の所定ページに折り返し部分を残して切り込み線に沿って切り取り可能な帯状付箋形状を設け、切り取りした帯状付箋の先端部分を目的ページ間に差し込みできるようにしたことを特徴とする付箋付き本、にある。
【０００８】
本発明の要旨の第３は、書籍、雑誌の所定ページに付箋形状に切り取り可能な切り込み線と、当該付箋形状の先端部分または先端に近い部分を三分割して切断する切り込み線と、を設け、当該付箋形状を所定ページから切り取りした後に、当該三分割部分で目的ページを挟むことができるようにしたことを特徴とする付箋付き本、にある。
【０００９】
【発明の実施の形態】
本発明は付箋付き本に関するが、大別して３種の実施形態があるので、以下図面を参照して説明することとする。
図１は、第１実施形態の付箋付き本を示す図、図２、図３は、第１実施形態の変形例を示す図、図４は、第２実施形態の付箋付き本を示す図、図５は、第３実施形態の付箋付き本を示す図、である。
【００１０】
図１は、第１実施形態の付箋付き本を示す図であって、図１（Ａ）は付箋付き本の付箋を使用する前の状態、図１（Ｂ）は付箋の使用状態を示す図である。
本発明の付箋付き本１の第１実施形態は、図１のように、書籍、雑誌等の本の所定ページ１１の小口１１ｍ、天１１ｔまたは地１１ｃの余白部分に付箋として折り返すことができるような形状の切り込み線２を設けたことを特徴とする。
図１（Ａ）は小口１１ｍ部分に当該形状を設けた例である。切り込み線２は、全体として付箋の外形を形成するようにするが、折り返しする根本部分はページから分離しないように接続部分２ｓを残しておくようにする。
切り込み線２はミシン目線やハーフカット線であっても良く、大部分を打ち抜いて僅かな部分で所定ページに接続しているような線であっても良い。
所定ページは、書籍、雑誌の本文ページの全てであっても良く、重要内容が記載されているページに限定して設けるものであってもよい。当該形状の切り込み線２は所定ページに１ないし複数設けることができる。
【００１１】
付箋を使用する場合は、図１（Ｂ）のように接続部分２ｓから紙片を立ち上げて折り返しする。これにより切り込み線２の外形が付箋４の形状を形成する。
図１（Ｂ）の付箋４は見開きページに設けたものを使用した例であり、付箋５は本文の中ページに設けたものを使用した例である。
このような付箋はページから脱落することがなく、また使用後は折り返した接続部分２ｓを戻して元の本の状態にすることができる。
【００１２】
図２、図３は、第１実施形態の変形例を示す図であって、図２は、本の天１１ｔ部分に切り込み線２を設けた場合である。天部分に設ける場合も、チェック箇所を適切にマークする意味で同一所定ページに複数の付箋を設ける必要性が生じる場合がある。
図３は、付箋として折り返しできる形状の切り込み線２が、つめ見出し８の印刷形状に略合致する形状にされている例である。近年の書籍、雑誌では、目的ページを早く見出すことができるように小口や天の余白部分に、当該ページの記事内容を表わすタイトルや見出しをつめ形状や矩形状の枠内に表示することが行われている。
このつめ見出し８の形状に合致または略合致する形状に切り込み線２を設け、付箋として使用すれば、立ち上げた状態でタイトルや見出しが付いた状態の付箋となるので、容易に目的ページを探し出すことができる。
【００１３】
図４は、第２実施形態の付箋付き本を示す図であって、図４（Ａ）は付箋付き本の付箋を使用する前の状態、図４（Ｂ）は付箋の使用状態を示す図である。
本発明の付箋付き本１の第２実施形態は、図４のように、書籍、雑誌等の本の所定ページ１１の小口１１ｍまたは天１１ｔ、あるいは地１１ｃ部分に帯状付箋形状を切り込み線２により設けたことを特徴とする。切り込み線２は全体として帯状付箋７の外形を形成するようにするが、根本部分はページから分離しないように接続部分２ｓを残しておくようにする。
切り込み線２は、第１実施形態同様に、ミシン目線やハーフカット線、あるいは大部分を打ち抜いて僅かな部分で所定ページに接続しているような線であって良い。
【００１４】
第２実施形態で付箋を使用する場合は、図４（Ｂ）のように切り込み線２から帯状に付箋を切り取りし、接続部分２ｓは折り返しして、切り取りした帯状付箋７の先端部分をチェックする目的のページ間に差し込みする。
なお、差し込みしなくても長く飛び出させただけの状態でも付箋の役割をする。その場合は第１実施形態と同様に当該付箋の切り込み線を設けた所定ページの内容を表示することになる。
【００１５】
第２実施形態の場合の所定ページは、書籍、雑誌の見出し部分や本文中の重要ページ等の数ページに限定することができる。付箋を多数必要とする場合は多くのページを設けても良いが、通常は表紙側と裏表紙側にでも設ければ十分だからである。ただし、上記のように飛び出させた状態で使用する場合は興味を引きそうなページに設けるのが好ましい。
第２実施形態では、はがき程度の強度または腰のある材料を使用することが好ましい。
【００１６】
図示してないが、第２実施形態の場合も、天１１ｔ方向または地１１ｃ方向に向けて帯状付箋を切り取りできるように切り込み線２を入れても良い。
表紙側の付箋のある所定ページを小口１１ｍ方向（横方向）に切り込み線２を入れ、裏表紙側の所定ページを天１１ｔまたは地１１ｃ方向（縦方向）に切り取りできる切り込み線２を入れる場合、あるいはその逆の組み合わせ等の場合は、多数の付箋を使用することができ便利と考えられる。
【００１７】
図５は、第３実施形態の付箋付き本を示す図であって、図５（Ａ）は付箋を使用する前の状態、図５（Ｂ）は付箋の使用状態を示す図、図５（Ｃ）は第３実施形態の変形例を示す図、である。
本発明の付箋付き本１の第３実施形態は、図５（Ａ）のように、書籍、雑誌等の本の所定ページ１１に、付箋形状の外形に切り取り可能な切り込み線２と、当該付箋形状の先端部分または先端に近い部分を三分割して切断する切り込み線３とを設ける。
第３実施形態の場合の所定ページは、書籍、雑誌の見出し部分等の目に付き易い部分に設ける。この場合は所定ページ１１から付箋を切り離して使用するので付箋形状の方向や数は自由にすることができる。
【００１８】
第３実施形態の付箋６を使用する場合は、図５（Ｂ）のように切り込み線２から付箋６を切り取りし、切り取った付箋６の三分割した先端部分で目的ページを挟み込むようにして装着する。
先端部分を三分割する切り込み線３は、図５（Ｃ）のようにして入れても良い。第３実施形態では、腰の弱い紙であると３分割した先端部分が容易に変形してしまい、目的ページに装着しても脱落してしまう。したがって、紙材料としてははがき程度の厚みまたは腰のある材料が必要となる。
【００１９】
第１ないし第３実施形態の付箋付き本の製造は、いずれも同様な工程で行うことができる。まず、所定ページの印刷後に切り込み線を打ち抜いた折丁を作製する。その後の工程は通常の製本の工程で折丁を丁合し、中綴じ、平綴じまたは無線綴じの工程で製本することができる。
切り込み線を打ち抜いた所定ページを単ページのシートとする場合は、丁合本の見出し部分等に貼り込みする工程を行う。
所定ページへの打ち抜きは、活版平台印刷機あるいはオフセット輪転印刷機とインラインフィニッシュング装置とを連結した装置（グレッグシステム）等で行うことができる。
【００２０】
【実施例】
以下、図１、図３、図４、図５を参照して本発明の実施例を説明するが、各図に対応する符号には、同一符号を付して説明している。
（実施例１）
本文用紙に、「ＯＫトップコート」（７３．０ｋｇ／７８８ｍｍ×１０９１ｍｍ）を使用しオフセット輪転（グレッグ印刷機）で印刷し、Ａ４判１２８ページ（折丁３２ページ４台）と口絵用紙に「Ａ２コート」（７３．０ｋｇ／７８８ｍｍ×１０９１ｍｍ）を使用してオフセット輪転（グレッグ印刷機）で印刷し、Ａ４判２４ページ（折丁８ページ３台）を準備した。
なお、矩形状のつめ見出し８付きページには、小口部分に見出し形状（２４ｍｍ×４２ｍｍ）に略合致する「半円形状」の切り込み線２を入れた折丁とした（図３参照）。丁合後は束厚１０ｍｍ程度となった。
【００２１】
別に、表紙１０の用紙にミラーコートプラチナ紙（１３５．０ｋｇ／７２８ｍｍ×１０９１ｍｍ）を使用して、Ａ４判折丁４頁１台をオフセット輪転印刷で行った。上記本文用紙と口絵用紙、および表紙用紙を中綴じして、第１実施形態の付箋付き本１を完成した。
付箋付き本１の切り込み線２から切り取りし、接続部分２Ｓから折り返して立ち上げると見出し付き付箋として使用することができた（図１（Ｂ）参照）。
【００２２】
（実施例２）
本文用紙に、「ＯＫトップコート」（７３．０ｋｇ／７８８ｍｍ×１０９１ｍｍ）を使用しオフセット輪転で印刷し、Ａ４判１２８ページ（折丁３２ページ４台）と、口絵用紙に「Ａ２コート」（７３．０ｋｇ／７８８ｍｍ×１０９１ｍｍ）を使用して活版平台で印刷し、Ａ４判２４ページ（折丁８ページ３台）を準備した。
なお、口絵用紙の１ページには小口１１ｍ方向に折り曲げできるように、ミシン目線による切り込み線２を入れ、幅２６ｍｍ、長さ１７０ｍｍの帯状の付箋形状が５本形成された折丁とした（図４（Ａ）参照）。
丁合後は束厚１０ｍｍ程度となった。
【００２３】
別に、表紙１０の用紙にミラーコートプラチナ紙（１３５．０ｋｇ／７２８ｍｍ×１０９１ｍｍ）を使用して、Ａ４判折丁４頁１台をオフセット輪転印刷で行った。上記本文用紙と口絵用紙、および表紙用紙を中綴じして、第２実施形態の付箋付き本１を完成した。
付箋付き本１の帯状付箋７をミシン目線から切り、接続部分２Ｓから折り返して、目的ページ間に挟んで使用することができた（図４（Ｂ）参照）。
【００２４】
（実施例３）
コート紙７０ｇ／ｍ２  にオフセット輪転で印刷し、Ａ６版３８４ページ（折丁３２ページ１２台）分を準備した。また、表紙用紙４にトップコート紙（１２８ｇ／ｍ２  ）を使用してオフセット輪転印刷をした。
別に、はがき程度の厚みの用紙「プリント上質紙」（１２２．０ｋｇ／７８８ｍｍ×１０９１ｍｍ）に、第３実施形態の付箋（長さ４０ｍｍ×幅１０ｍｍ）が１０個形成されるように付箋の輪郭を打ち抜きした切り込み線２と付箋の先端部分の切り込み線３を活版平台印刷で絵柄とともに印刷したものを１枚分を準備した（図５（Ａ）参照）。
中綴じ工程において、最終折丁の外面に付箋形状を設けたページ１枚分を貼り込みして製本して第３実施形態の付箋付き本１を完成した。
付箋付き本１の付箋６を切り込み線２から切り取り、付箋の先端部分を目的ページに挟んで使用することができた（図５（Ｂ）参照）。
【００２５】
【発明の効果】
以上説明したところで明らかなように、本発明の付箋付き本は、本自体に折り返しまたは切り取り可能な状態に付箋が付いているので、チェックしたいページに対して直ちに付箋を付することができる。
【図面の簡単な説明】
【図１】第１実施形態の付箋付き本を示す図である。
【図２】第１実施形態の変形例を示す図である。
【図３】第１実施形態の変形例を示す図である。
【図４】第２実施形態の付箋付き本を示す図である。
【図５】第３実施形態の付箋付き本を示す図である。
【符号の説明】
１    付箋付き本
２，３    切り込み線
４，５，６    付箋
７    帯状付箋
８    つめ見出し
１０    表紙
１１    所定ページ
１１ｍ  小口
１１ｔ  天
１１ｃ  地
１２    目的ページ
【図１】
2005001351.tif 000003
【図２】
2005001351.tif 000004
【図３】
2005001351.tif 000005
【図４】
2005001351.tif 000006
【図５】
2005001351.tif 000007